(57)【要約】【課題】貼着対象の商品に対する表示ラベルを印字発行するラベルプリンタにおいて、元々の印字フォーマットに無い項目を追加して印字する場合に、適正なサイズ（長さ）のラベルを選択させて、全データの印字を選択したラベル内に収めさせるようにする。【解決手段】ラベルプリンタにおいて、設定されている長さのラベルに、表示させようとするデータの印字が収まるかどうかを判断する判断手段を備え、プリントモードの実行に伴い、判断手段が、収まらないと判断した時には、そのままでは印字ステップに進まず、印字させようとする印字データが収まるラベルの長さに設定し直された後に、印字ステップに移行できるようにする。【選択図】図２
2005035202.tif 000002
【特許請求の範囲】
【請求項１】
各種コード、品名、売価及び日付などの項目を、色々な組み合わせのフォーマットを利用し、所定の項目をバーコードに変換してラベルに印字するラベルプリンタであって、印字に使用するラベルの長さを設定する第一事前設定モードと、フォーマットの項目にない原産地名及び／又はリサイクルマークを印字するかしないかを設定する第二及び又は第三事前設定モードとが選択できると共に、第一事前設定モードを運用して設定されている長さのラベルに、表示させようとするデータの印字が収まるかどうかを判断する判断手段を備え、フォーマットを利用しての登録データを呼び出して印字する呼出プリントモードか選択したフォーマットの各項目をその都度入力して印字する随時プリントモードを実行した際、第二及び又は第三事前設定モードが印字するに設定されている場合において、前記判断手段が、収まらないと判断した時には、そのままでは印字ステップに進まず、プリントモードから前記第一事前設定モードに切り換えられ、印字させようとする印字データが収まるラベルの長さに設定し直された後に、元のプリントモードに復帰され、印字ステップに移行できるようにしたことを特徴とするラベルプリンタ。
【発明の詳細な説明】
【技術分野】
【０００１】
本発明は、ラベルに貼付対象の商品情報などを印字するラベルプリンタに関するものである。
【背景技術】
【０００２】
この種のラベルプリンタに使用されるラベルは、ラベルロール毎に同じ長さ（ピッチ）のものが長尺の台紙上に連続して仮着されているもので、ラベルに長さ方向でみれば、印字しようとする長さ方向の印字量を考慮してラベルプリンタには、それを納められる長さのラベル（ロール）が使用される。
また、食品の情報については、ものによって原産地名の表示が、更に、容器包装リサイクル法の対象となる形態についてはリサイクルマークの表示が義務付けられ、表示情報量が増えてきている。。
【特許文献１】特開２００３−０８１２３７号公報
【発明の開示】
【発明が解決しようとする課題】
【０００３】
１台のラベルプリンタによって、異なる商品の情報などに対応させるために、ラベルの長さ方向の印字量が異なるデータを印字する場合、想定される最大の印字量を納められるＬＢを使用しておけば問題はないが、印字量の少ないデータの印字に対しては、余白が多くなり、不経済感及びバランスの悪さを免れない。
【課題を解決するための手段】
【０００４】
本発明は、ラベルプリンタにおいて、設定されている長さのラベルに、表示させようとするデータの印字が収まるかどうかを判断する判断手段を備え、プリントモードの実行に伴い、判断手段が、収まらないと判断した時には、そのままでは印字ステップに進まず、印字させようとする印字データが収まるラベルの長さに設定し直された後に、印字ステップに移行できるようにしたことを最も主要な特徴とする。
【発明の効果】
【０００５】
本発明のラベルプリンタは、設定されている長さのラベルに、表示させようとするデータの印字が収まらないと判断された場合には、印字発行動作前に、自動的にラベルの長さの設定モードに切り換えて、ラベルの長さが、印字させようとするデータを適正に収められる値のものに設定された後に、プリンタモードに復帰させて印字ステップに移行できるようにしているので、短いラベルのままで、印字が２枚のラベルに跨り、ラベルを無駄にするようなことを防止できる。
【発明を実施するための最良の形態】
【０００６】
本発明のラベルプリンタは、設定されている長さのラベルに、予定されている印字が収まるかどうかを判断する判断手段を備えているので、収まらないと判断した場合に、ラベル（ラベルロール）を交換させながら、その長さ条件を設定し直すことができて、ラベルを無駄にすることなく、所定のラベルに適正な印字を行わせることができる。
【実施例１】
【０００７】
図１はラベルプリンタのブロック図で、制御部本体を構成するＣＰＵ（中央演算処理装置）１００に、バスライン１１０を介して、プログラムデータ等が格納されたＲＯＭ（リード・オンリ・メモリ）１２１、データ処理のための各種メモリエリアが形成されるＲＡＭ（ランダム・アクセス・メモリ）１２６、各種データを入力するキーボード１４１からキー信号が入力されるキーボード制御回路１３１、入力データ１，メモリデータ等を表示するディスプレイ１４２を駆動制御するディスプレイ制御回路１３２、ラベルを移送するためのステップモータ１４３を駆動制御するステップモータ制御回路１３３、各種コード、品名、売価及び日付等の項目を印字するためのサーマルヘッド１４４を駆動制御するサーマルヘッド制御回路１３４及びラベルの頭出し、移送等をモニタラベルセンサ１４５からラベル位置信号が入力されるラベルセンサ制御回路１３５の各部が接続されている。
【０００８】
ステップモータ１４３は、図示していないプラテンローラを回転駆動するもので、プラテンローラが、サーマルヘッド１４４とによりラベルを狭持して、印字動作時にラベルを移送する。
【０００９】
サーマルヘッド１４４は、印字動作時に駆動されて、ラベルに、貼付対象商品の必要項目を印字する。
【００１０】
ラベルセンサ１４５は、多数のラベルを等間隔に仮着した台紙の裏側において等間隔に印刷された帯状のマークを検出する反射式か、抜きラベルの場合におけるラベル間の台紙のみの部分を検出する透過式のもので、その検出出力が、印字動作の開始及び停止制御等の信号として働く。
【００１１】
ディスプレイ１４２は、装置の各操作ステップ状態を示し、キーボード１４１による入力を促す。
【００１２】
ＲＯＭ１２１は、メイン処理制御プログラム及び印字制御プログラム等のメモリを備えている。
【００１３】
ＲＡＭ１２６は、表示機能メモリ、フォーマットメモリ、ラベルサイズメモリ、原産地名メモリ、リサイクルマークメモリ、印字データバッファ及びラベルサイズに対して、フォーマット及び追加データを含めて印字データが収まるかどうかを判断する判断手段の演算制御メモリ等を備えている。
【００１４】
次に、図２及び図３を含めて、本発明におけるラベルプリンタの動作について説明する。
【００１５】
ラベルプリンタを立ち上げると、事前に使用していたモードに従って、ディスプレイが「随意プリントモード」か「呼出プリントモード」の初期画面になり、そのままそのモードを実行していくか、モード選択の必要がある場合には、キーボード１４１における所定のキーを操作することにより、他のモードへ移行することもできる。
【００１６】
事前設定モードとしては、「印字濃度の設定」とか等も用意されているが、本発明に関連して、三つのモードについて説明する。
【００１７】
事前設定モードにおける内部の編成は自由であるが、図３に例示するように、「事前設定モード」へ移行すると、最初に「ラベルサイズの設定」画面になり、どの設定画面でも「シナイ」がデフォルトになっていて、その設定をしないで飛ばす場合は、キーボード１４１における数字キーの〈０〉を押せば、次の「設定（この場合では原産地の設定）」画面になるが、数字キーの〈１〉を押せば、その設定を実行することになって、「１．ｂ」に示すラベルの長さ（ピッチ）である「ラベル・サイズ」を選択する画面になるので、使用するラベル（どのフォーマットを使用して継ぎ足し印字が有るか無いか）に応じて、数字キー〈０〉〈１〉〈２〉〈３〉のどれかを押して、そのサイズを確定する。
【００１８】
「１．ｂ」でラベルサイズを確定すると、事前設定モードが「２．ａ」の「原産地の設定」画面へ移行するので、数字キー〈１〉を押し「２．ｂ」の「原産地の印字？」画面へ進んで、数字キー〈１〉を押せば、通常、品名が入力できるようなフォーマットにおける先頭行の手前行に「原産地名」を印字させることができるようになる。
【００１９】
「２．ｂ」で「原産地の印字？」のどちらかを確定すると、事前設定モードが「３．ａ」の「リサイクルマークの設定」画面へ移行するので、数字キー〈１〉を押し「３．ｂ」の「リサイクルマークの印字？」画面へ進んで、数字キー〈１〉を押せば、通常、各フォーマットにおける末行の後行に「リサイクルマーク」を印字させることができるようになる。
【００２０】
「事前設定モード」における所蔵モードの選択は、数字キー〈０〉で所定モードまで飛ばして行くほか、上下の矢印キーで上下のスクロールを可能にすることもでき、所定の終了キーを押せば、事前に使用していた「プリントモード」の初期画面に戻る。
【００２１】
図２に示すように、「随時プリントモード」ではＳＰ-１のようにフォーマットの選択画面になっており、所望のフォーマットを選択（例えばＰ？？と言う２桁までの数字を入力することでフォーマットのメモリから選択）して確定すると、事前設定モードにおける原産地の設定で原産地の印字を「スル」にしてある場合は、ＳＰ-２のように原産地名の選択画面になる。
【００２２】
原産地名の選択は、例えば、全日本駅伝等で使用されている都道府県名を表すゼッケン番号と同じ番号を入力して確定すると、原産地名のメモリから対応する名がフォーマット自体にはない追加の印字データとして呼び出されることになる。
【００２３】
原産地名の選択を確定すると、事前設定モードにおけるリサイクルマークの設定でリサイクルマークの印字を「スル」にしてある場合は、ＳＰ-３のようにリサイクルマークの選択画面になる。
【００２４】
リサイクルマークは、単に「紙」か「プラ」のマークを表示するものから、マークへの付帯文字で使用されている部位（部材）を表示したり、また、「プラ」ではその材質を表示知る場合もあり、それらの個々に登録番号を付してメモリに記憶されており、所定の登録番号を入力して確定すると、リサイクルマークのメモリから対応するマークがフォーマット自体にはない追加の印字データとして呼び出されることになる。
【００２５】
なお、原産地名の選択番号及び／又はリサイクルマークの選択（登録）番号に、「印字しないと言う番号」を設定しておくと、事前設定モードをいじらなくても、一時的な印字の回避が可能となる。
【００２６】
リサイクルマークの選択を確定すると、ＳＰ-４のように、選択したフォーマットに対する各項目の順次入力ステップとなり、項目には、各種コード、品名、売価及び日付等があって、色々な組み合わせでフォーマットが分かれている。
【００２７】
順次入力における最後の項目を確定すると、ＳＰ-５のように「印字枚数」の入力画面になるので、数字キーにより４桁までの数字を入力して印字枚数を確定する。
【００２８】
ここで、ＳＰ-６により、第一事前（ラベルサイズの）設定モードで設定されている長さラベルに表示させようとするデータの印字が収まるかどうかが演算制御メモリによる判断手段によって判断され、収まらないと判断された場合には、ＳＰ-７のようにラベルサイズの設定モードにおけるラベル・サイズを選択する画面に移行し、新たなラベルサイズを選択させる。
【００２９】
所定の項目をバーコードに変換させるフォーマットでは、追加の印字データがない場合には、全項目のデータの印字を、設定されているサイズのラベルに収めることを条件に、バーコードの高さを高くして印字させるが、判断手段による演算条件には、バーコードのスキャナによる読取エラーを起こさないであろうと想定したとこまでの、バーコードの高さを低くすることが加味されるようになっている。
【００３０】
ＳＰ-８では、新たなラベルサイズの選択に対して、「印字が収まる長さのラベルに設定されたか？」が判断され、されなかった場合には、ＳＰ-７の画面が継続されて再選択を待ち、された場合には、ＳＰ-９に移行して、印字実行の指令が行える。
【００３１】
なお、ＳＰ-５の印字枚数入力のステップを、ＳＰ-９による印字実行指令のステップの手前に入れ替えるようにしてもよい。
【００３２】
そして、操作者が、選択したサイズのラベルロールに入れ替えて、キーボード１４１から印字指令を行うと、ＳＰ-１０で指定枚数に対応したラベルの印字発行が行われる。
【００３３】
また、印字発行完了後に、考え方として同じモードを継続するか他のモードへ移行するかが選択できる。
【００３４】
呼出プリントモードは、ＳＰ-１に相当するステップに「登録番号の選択」のステップがあり、ＳＰ-４に相当するステップでは、変更可能にしてある項目について、登録データのままでよいか変更するかを確認していくステップになっている。そのほかは、随意プリントモードと同等である。
【００３５】
登録／変更モードにおける登録モードは、未登録の予定登録番号を入力した後、随意プリントモードと同等のステップＳＰ-１及びＳＰ-４を経て、その予定登録番号が確定されるものである。
【００３６】
変更モードは、対象の登録番号を選択（入力）し、ステップＳＰ-４と同等の操作の中で、変更する項目のデータを書き替え、その変更内容が確定されるものである。
【産業上の利用可能性】
【００３７】
商品に対する表示義務化に適用できるものである。
【図面の簡単な説明】
【００３８】
【図１】本発明の一実施例に係るラベルプリンタのブロック図である。（実施例１）
【図２】本発明の一実施例に係るラベルプリンタにおける制御フローチャートである。（実施例２）
【図３】本発明の一実施例に係るラベルプリンタにおける事前設定モード説明図である。（実施例１）
【符号の説明】
【００３９】
１００    ＣＰＵ
１２１    ＲＯＭ
１２６    ＲＡＭ
１３１    キーボード制御回路
１３２    ディスプレイ制御回路
１３３    ステップモータ制御回路
１３４    サーマルヘッド制御回路
１３５    ラベルセンサ制御回路
１４１    キーボード
１４２    ディスプレイ
１４３    ステップモータ
１４４    サーマルヘッド
１４５    ラベルセンサ
【図１】
2005035202.tif 000003
【図２】
2005035202.tif 000004
【図３】
2005035202.tif 000005